(57)【要約】【課題】魚の飼育と植物の栽培を同時に行う飼育・栽培システムを提供すること。【解決手段】水槽の水面下ではクロメダカを飼育しながら、同水槽の水面付近ではシュロガヤツリを栽培することによって、同水槽内において生態系をほぼ完結させて、自然界の生態系を同水槽内で再現することとした。しかも、前記水槽は、下部を球状に、上部を細筒状としたフラスコ状に形成し、同細筒部の下端をやや狭窄状とすることとした。【選択図】    図１
2004261161.tif 000002
【特許請求の範囲】
【請求項１】
水槽の水面下ではクロメダカを飼育しながら、同水槽の水面付近ではシュロガヤツリを栽培することによって、同水槽内においてほぼ自然界に近い生態系を再現するようにした魚類飼育と植物栽培を同時に行う飼育・栽培システム。
【請求項２】
前記水槽は、下部を球状に、上部を細筒状としたフラスコ状に形成し、同細筒部の下端をやや狭窄状として、同狭窄部でシュロガヤツリの茎、或いは株を支持し、その下方の球状部内において、シュロガヤツリの根とクロメダカを収容すべく構成してなることを特徴とする請求項１記載の魚類飼育と植物栽培を同時に行う飼育・栽培システム。
【請求項３】
前記狭窄部の近傍を着色したことを特徴とする請求項２記載の魚類飼育と植物栽培を同時に行う飼育・栽培システム。
【発明の詳細な説明】
【０００１】
【発明の属する技術分野】
本発明は、魚類飼育と植物栽培を同時に行う飼育・栽培システムに関するものである。
【０００２】
【従来の技術】
従来、魚介類飼育と植物水耕栽培を同時に行う飼育・栽培方法の一例として、魚介類養殖、および植物の水耕栽培に適した形状の水槽を、魚介類を飼育するための魚介類養殖槽と、植物を水耕栽培するための植物栽培槽とに分離し、水循環装置を用いることによって、魚介類養殖槽と植物栽培槽との水を兼用して循環させ、２つの水槽で魚介類の飼育と植物の水耕栽培とを同時に行う飼育・栽培方法があった。
【０００３】
すなわち、魚介類の養殖で発生する餌の残りや、魚介類の排泄する排出物、および同排出物が腐敗して発生するアンモニア等の魚介類養殖槽で発生する有機成分を、水循環装置により水と一緒に植物栽培槽に送って植物の養分として積極的に利用するのである。
【０００４】
このように、魚介類養殖槽と植物栽培槽とを分離したことにより、魚介類養殖槽においては、水循環装置を用いた水の循環が行われて魚介類養殖槽内の水が均一に循環されることになり、植物栽培槽において浄化された水で魚介類養殖槽を常時満たすことができる。
【０００５】
一方、植物栽培槽においては、植物の根が魚介類によって食されることを防止して、植物の生長を保護することができる。
【０００６】
その結果、魚介類の養殖と植物の水耕栽培とを効率良く、しかも環境にも優しい形態で行うことができる（例えば、特許文献１参照。）。
【０００７】
また、従来、シュロガヤツリを用いて富栄養化排水を浄化する方法があった。これは、シュロガヤツリが水中の窒素およびリンに対して高い吸収能力を有することを利用したものであり、シュロガヤツリをポット又はプランタに植栽し、富栄養化排水の流路または流入先に存置して育成することにより、シュロガヤツリに富栄養化排水中の窒素成分やリン成分等を吸収させることによって、それらの成分を除去して富栄養化排水を浄化するものであった（例えば、特許文献２参照。）。
【０００８】
【特許文献１】
特開平９−２３３９７０号公報
【０００９】
【特許文献２】
特開平１０−３２３６９０号公報
【００１０】
【発明が解決しようとする課題】
しかし、上記従来の魚介類飼育と植物水耕栽培を同時に行う飼育・栽培方法は、魚介類養殖槽と植物栽培槽とを分離していたため、魚介類が植物の根を食することができなかった。したがって、管理者は飼育する魚介類に給餌する必要があり、水槽内において食物連鎖は完結していなかった。その結果、魚介類飼育と植物水耕栽培を同時に行う飼育・栽培方法において、管理者によるきめ細かい管理・運営が必要不可欠であり、管理者の時間と労力をかなり必要とする不具合があった。
【００１１】
また、魚介類養殖槽と植物栽培槽間において水を循環しなければならず、水循環装置を用いる必要があり、初期投資、ランニングコストが高くつくという不具合があった。
【００１２】
一方、上記従来のシュロガヤツリを用いて富栄養化排水を浄化する方法は、水の浄化が目的であったため、水中においてシュロガヤツリを安定した状態とするために特別な工夫を施すことなく、土壌を入れたポット又はプランタにシュロガヤツリを植栽することによってシュロガヤツリを水中に固定して安定な状態としていた。したがって、養分吸収を司る根の大部分はポット又はプランタ内の土壌中に存在していた。その結果、根が水中に浮遊し、直接養分を吸収できる水耕栽培法に比べて水質の浄化効率が低いという不具合があった。
【００１３】
【課題を解決するための手段】
この発明は、水槽の水面下ではクロメダカを飼育しながら、同水槽の水面付近ではシュロガヤツリを栽培することによって、同一水槽内においてほぼ自然界に近い生態系を再現するようにした魚類飼育と植物栽培を同時に行う飼育・栽培システムを提供せんとするものである。
【００１４】
また、前記水槽は、下部を球状に、上部を細筒状としたフラスコ状に形成し、同細筒部の下端をやや狭窄状として、同狭窄部でシュロガヤツリの茎、或いは株を支持し、その下方の球状部内において、シュロガヤツリの根とクロメダカを収容すべく構成したことにも特徴を有する。
【００１５】
また、前記狭窄部の近傍を着色したことにも特徴を有する。
【００１６】
【発明の実施の形態】
この発明は、水槽の水面下ではクロメダカを飼育しながら、同水槽の水面付近ではシュロガヤツリの水耕栽培を行うことにより、水槽という非常に小さな世界において生態系をほぼ完結させて、自然界の生態系を水槽内に再現したものである。
【００１７】
すなわち、上記水槽は、同水槽の下部を球状として球状部とするとともに、同水槽の上部を細筒状として細筒部とすることによって、同水槽をフラスコ状に形成したものであり、特に、細筒部の下端をやや狭窄状とし、同狭窄部でシュロガヤツリの茎、或いは株を支持して、その下方の球状部内においてシュロガヤツリの根とクロメダカを収容すべく構成したものである。
【００１８】
このように、細筒状の下端に狭窄部を設けたことによって、同狭窄部によりシュロガヤツリの茎、或いは株をしっかりと挟持することができ、シュロガヤツリの根を球状部内の水中に浸すことができるとともに、シュロガヤツリを水槽内で直立させて常に安定した状態で水耕栽培することができる。
【００１９】
しかも、狭窄部の近傍には着色部分を設けており、見栄えの悪い株の部分は同着色部分により目隠しすることによって水槽外からは見えないようにしている。したがって、水槽の美観が損なわれることを防止することができる。
【００２０】
さらに、同着色部分には下方へ向う程色が薄くなるようにグラデーションを施しており、着色部分と非着色部分とを自然に連続させている。したがって、球状部の上部において色の不連続による違和感を覚えることはなく、水槽の美観を損なうことはない。
【００２１】
また、水を貯留する球状部を球状に形成しているため、同球状部の表面がレンズのように作用することにより水槽内のクロメダカを大きく映し出すことができる。その結果、観察者は小さなクロメダカを容易に観察・観賞することができる。
【００２２】
上記してきたように、本発明に係る水槽は、小さなクロメダカを観察・観賞しやすい状態として飼育することができるとともに、その上部においてはシュロガヤツリを栽培して室内緑化を可能とすることができる。しかも、水槽の美観を損なうことがないので個性的な装飾品とすることができる。
【００２３】
そして、シュロガヤツリは光合成することによって大気中の二酸化炭素を吸収して光合成を行い大気中に酸素を供給する。その結果、室内の空気を浄化することができる。しかも、シュロガヤツリは上記酸素を通気系組織によって地上部から根に供給し、さらに、根から水中に酸素を供給する。また、水槽内の空気中の酸素が上記水に溶解することにより酸素が供給される。一方、クロメダカやバクテリアは、呼吸することによって水中の酸素を吸収する。このように、水槽内において、酸素の需要と供給のバランスは安定して保たれている。
【００２４】
また、シュロガヤツリの根をプランクトンが食して生長し、そのプランクトンをクロメダカが食して生長し、クロメダカやプランクトンは排泄物を水中に排出する。同排泄物等をバクテリアが食して分解し、無機化したものをシュロガヤツリが吸収して生長する。このように、水槽内において物質循環と食物連鎖がほぼ完結する。
【００２５】
上記してきたように、水槽外からの物質やエネルギーの搬入はほとんどなく、水槽内において物質循環系と食物連鎖系がほぼ成立するため、比較的安定した生態系を維持することができる。
【００２６】
したがって、水槽の管理は、シュロガヤツリの光合成や蒸散作用によって失われる水の補給だけとすることができ、省力・省資源・省エネルギーにてクロメダカを飼育することができる。同時に、シュロガヤツリの栽培を通して室内の緑化と空気浄化を可能とすることができる。
【００２７】
さらに、卓上において小宇宙を再現することができ、日々の生活の中で、水槽内で展開される物質循環を通じて定常的に自由エネルギーが出入りして変換を行う動的秩序や、動物・植物共同生活の平衡等小宇宙の神秘を実感することができる。
【００２８】
また、水で満たされた世界の中で動物と植物が共生しながら穏やかな時間を営んでいる様子を観察・観賞することができるので、精神医学的側面におけるリラクセーション効果、すなわちリラックス感を得たり、心が安らいだりする効果があり、精神衛生上良い影響を与えることができる。
【００２９】
【実施例】
以下において、図面に基づいて本発明の実施例を説明する。
【００３０】
図１に本発明に係る魚類飼育と植物栽培を同時に行う飼育・栽培システムＡを示す。同魚類飼育と植物栽培を同時に行う飼育・栽培システムＡは、水槽１の水面下ではクロメダカ２を飼育しながら、同水槽１の水面付近ではシュロガヤツリ３の水耕栽培を行うことによって、水槽１という小さな空間の中において生態系をほぼ完結させ、生物学的な平衡状態を維持するようにして、クロメダカ２の飼育とシュロガヤツリ３による室内緑化とを省資源・省エネルギーにて実現させるシステムである。
【００３１】
すなわち、上記水槽１は、同水槽１の下部を球状として球状部４とするとともに、同水槽１の上部を細筒状として細筒部５とし、同水槽１をフラスコ状に形成したものであり、特に、細筒部５の下端をやや狭窄状として、同狭窄部６でシュロガヤツリの茎３−１、或いは株３−２を支持し、その下方の球状部４内において、シュロガヤツリ２の根３−３とクロメダカ２を収容すべく構成したものである。
【００３２】
特に、上記狭窄部６の近傍には着色部分７を設けており、しかも、同着色部分７には下方へ向う程色が薄くなるようにグラデーションを施している。
【００３３】
また、球状部４の設置面を平坦面として底部８としている。
【００３４】
クロメダカ（学名：Ｏｒｙｚｉａｓ  ｌａｔｉｐｅｓ  Ｌａｔｉｐｅｓ）２は、ダツ目メダカ科に属し、日本全国の淡水域に生息する。比較的高温低温に強く、飼育する場合には冬もヒーターなしで飼育可能である。また、雑食性である。
【００３５】
シュロガヤツリ（学名：Ｃｙｐｅｒｕｓ  ａｌｔｅｒｎｉｆｏｌｉｕｓ  Ｌ．）３は、カヤツリグサ科、カヤツリグサ属の多年生草本植物であり、地上部は濃緑色の葉（苞葉）と茎からなり、その形態は単純清楚である。耐陰性にすぐれており弱光下での光合成能力が高く、また、稀薄な無機成分を吸収する能力が大きい。しかも、分げつ力・再生力が旺盛で生存期間が長く、バイオマス生産が大きい。さらに、地上部の組織から根３−３の先端まで酸素を供給することができる通気系組織を有する。
【００３６】
実際にクロメダカ２の飼育と、シュロガヤツリ３の水耕栽培とを同時に行うには、まず、上記水槽１を卓上に設置し、同水槽１の球状部４のほぼ７〜８部目まで水（約１リットル）を入れ、同水中に上記クロメダカ２を３〜５匹放つ。
【００３７】
そして、水槽１の細筒部５にシュロガヤツリ３の根３−３から挿入し、同細筒部５の下端に設けた挟持部６ではシュロガヤツリ３の根３−３を通過させてその茎３−１、或いは株３−２を挟持させる。ここで、挟持部６を細筒部５の下端に、しかもやや狭窄状に形成しているので、一旦挟持部６を通過したシュロガヤツリ３の茎３−１、若しくは根３−３の始端部である株３−２をしっかりと挟持することができる。その結果、同挟持部６による挟持のみでシュロガヤツリ３を水槽１内で直立させた状態として支持することができるとともに、シュロガヤツリの根３−３を球状部４内の水に浸すことができる。このようにして、シュロガヤツリ３を水槽１内において常に安定した状態として水耕栽培することができる。
【００３８】
しかも、水槽１の底部８は平坦面であるとともに、充分な面積を有するため、長茎を有するシュロガヤツリ３を水槽１の上部で栽培しても転倒することはなく、水槽１を卓上において安定した状態とすることができる。
【００３９】
また、狭窄部６の近傍に着色部分７を設けているので、見栄えの悪いシュロガヤツリ３の株３−２を同着色部分７によって目隠しすることができる。その結果、水槽１外からこの株３−２が丸見えになることを防止することができ、水槽１の美観を保つことができる。しかも、着色部分７は狭窄部の近傍だけであるので、水槽１の球状部４のほとんどを非着色部分とすることができ、飼育するクロメダカ２の生態を観察したり、クロメダカ２の泳ぐ様等を観賞したりすることを妨げることはない。
【００４０】
さらに、着色部分７にはグラデーションを施すことによって着色部分７と非着色部分とを滑らかに連続しているので、球状部４の上端部において色の不連続による違和感を覚えることはなく、水槽１の美観を保つことができる。
【００４１】
このように、水槽１内において安定した状態とされたシュロガヤツリ３は、水槽１内の水とともに水中に溶け込んだ窒素、リン、カリウム等の養分、すなわち、無機成分を吸収する。ここで、シュロガヤツリ３は稀薄な無機成分を吸収する能力が大きいため、充分な養分を含まない水でも十分に生長することができる。したがって、水槽１内に貯留する水は水道水を用いることができる。しかも、このように同水が稀薄であるため、かえってシュロガヤツリ３自体の成長量を限定することができ、草丈を移植当時と等しく維持するとともに、茎３−１の数も一定数となった時点で増加を停止して安定することができる。このように、シュロガヤツリ３の過剰な生長を抑制することができるため、シロガヤツリ３と水槽１とのバランスがとれた状態を保つことができる。
【００４２】
また、稀薄な水道水からシュロガヤツリ３がさらに無機成分を吸収するので、水槽１内の水の富栄養化を防止することができ、アオコの発生を抑制することができる。同アオコの異常繁殖は水槽内の水を緑色に濁らせて見た目を悪くしたり、水槽内の魚の観察を妨げたりする。同時に、異臭を発することもある。また、大量に発生すると水槽内の魚を死滅させることもある。したがって、水槽１内において、アオコの発生を防止することは必須条件となる。
【００４３】
ここで、水槽１内に硅石を入れると水槽１内の水の浄化作用をさらに高めることができる。また、同硅石から無機成分が溶出することにより、シュロガヤツリ３の養分とすることができる。
【００４４】
このようにして、水中から無機成分を吸収したシュロガヤツリ３は室内の散光によって光合成を行う。ここで、シュロガヤツリ３は耐陰性に優れているので、直接光のあたらない室内でも生存に充分な光合成を行うことができる。この光合成により酸素を生成して空気中に供給し、室内の空気を浄化することができる。
【００４５】
同時に、シュロガヤツリ３は同酸素を通気系組織によって水中根に供給し、さらに、水中根より酸素を水中に供給する。
【００４６】
また、シュロガヤツリ３は光合成により有機物生産を行って生長し、新旧地上茎の交代はあるものの、水耕で根を有する完全植物であるため数年間にわたり生存することができる。しかも、シュロガヤツリ３は、根３−３における根毛の発達が顕著であるため、根３−３には微細な根毛を豊富に有し、同根毛はバクテリアやプランクトンの生息場所を提供すると同時に、クロメダカ２やプランクトンの栄養供給源となる。
【００４７】
さらに、シュロガヤツリ３の葉３−４と茎３−１は濃緑色で美しく、その形態は単純清楚であるため、室内緑化の植物として最適である。
【００４８】
また、水槽１内のクロメダカ２はシュロガヤツリ３が供給した酸素を呼吸により吸収するとともに、シュロガヤツリ３の根３−３やプランクトンを食して生長する。そして、排泄物を水中に排出する。一方、根３−３を食されたシュロガヤツリ３は再生能力が高いため、傷ついた根３−３を早急に再生することができるとともに、根３−３の発達が顕著であるため、クロメダカ２やプランクトンに根３−３を食され続けても生存し続けることができる。
【００４９】
このように、クロメダカ２が排出した排出物、クロメダカ２や、目に見えないバクテリア、プランクトン等の死骸、およびシュロガヤツリ３の腐った根３−３は、水槽１内のバクテリアによって分解され無機化される。この無機化によって生成された無機成分はシュロガヤツリ３に吸収される。
【００５０】
すなわち、シュロガヤツリ３は大気中の二酸化炭素を吸収して光合成を行うことにより酸素を生成し、同酸素を通気系組織によって地上部より水中根に送り、さらに、水中根から水中に供給する。また、このように水槽１内の水はシュロガヤツリ３により酸素を供給されるほか、水槽１内の水面上に存在する空気に含まれる酸素が溶解することによっても供給される。一方、クロメダカ２やバクテリアは、呼吸することによって水中の酸素を吸収する。
【００５１】
したがって、水槽１内の水中において、酸素の需要と供給のバランスは安定して保たれているので、エアーポンプを使用する必要がなく、設備投資も必要なくランニングコストを最小に抑えることができる。また、エアーポンプが発生する雑音もなく室内を快適とすることができる。
【００５２】
また、シュロガヤツリ３の根３−３をプランクトンが食して生長し、そのプランクトンをクロメダカ２が食して生長し、クロメダカ２やプランクトンは糞を水中に排出する。同糞をバクテリアが分解して無機成分とし、同無機成分をシュロガヤツリ３が吸収して光合成を行い有機物生産を持続して生長する。
このように、水槽１内において食物連鎖が完結しているので、給餌をする必要がない。その結果、水槽１内の水質は富栄養化することはなく、アオコの発生を抑制して水質を一定に保つことができ、水槽１内の水の交換や水槽１の清掃を長期にわたり不要とすることができる。一般にホテイアオイやカナダモの水草を用いた魚類飼育槽では、室内の場合、週ごとに清掃と水交換を必要とする点で本発明にかかる魚類飼育と植物栽培を同時に行う飼育・栽培システムは省力的である。
【００５３】
したがって、水槽１の管理はシュロガヤツリ３による光合成や蒸散作用によって水量が減少した分の水の補給だけでよい。しかも、補給のための水も水道水を使用することができ、同水道水を１昼夜溜め置くことによって塩素の影響を除いたものをたまに水槽１に補給するだけでよい。このように、水槽１の管理はほとんど必要ないので、たとえ管理者が長期不在というようなことがあっても何ら問題はなく、安心して出かけることができる。その結果、管理者は仕事、趣味、生活等の面において束縛を受けることがない。
【００５４】
上記してきたように、水槽１内において物質循環系と食物連鎖系がほぼ成立するため、水槽１内に自然界に近い生態系を再現することができ、魚類飼育と植物栽培を同時に行う飼育・栽培システムＡを省力・省資源・省エネルギーとして、室内における日々の生活の中で気軽に、クロメダカ２やシュロガヤツリ３を育みながら、それらの生長を観察・観賞することができる。同時に、シュロガヤツリ３の栽培による室内緑化を楽しむことができる。
【００５５】
特に、水槽１の球状部４を略球状としているので、水槽１内に水が貯留されると、球状部４の表面がレンズのような作用をすることによって、水槽１内のクロメダカ２を大きく映し出すことができ、観察者は小さなクロメダカ２を容易に観察・観賞することができる。
【００５６】
さらに、水で満たされた小さな世界の中で動物と植物が共生しながら穏やかな時間を営んでいる様子を観察・観賞することができるので、精神医学的側面におけるリラクセーション効果、すなわちリラックス感を得たり、心が安らいだりする効果があり、見るものに対して精神衛生上良い影響を与えることができる。
【００５７】
しかも、水槽１という小さな世界に小宇宙を再現することができるので、同小宇宙を卓上に設置して身近なものとすることができる。
【００５８】
その結果、水槽１内で展開される物質循環を通じて定常的に自由エネルギーが出入りして変換を行う動的秩序や、動物・植物共同生活の平衡等小宇宙の神秘を実感することができる。
【００５９】
上記したように水槽１は室内緑化を可能とする装飾品でもあり、同水槽の形状としては様々なバリエーションが考えられる。例えば、水槽をシンメトリーに形成する必要はなく、シュロガヤツリ３を水耕栽培するにあたって水槽が転倒する等の不具合を生じなければ、図２に示すように、水槽１’の左右のバランスを崩して水槽１’全体が湾曲するように形成して、シュロガヤツリ３を水槽１’に斜めに挿入するようにすることもできる。その結果、装飾品としての美観を高めたり、趣を増したりすることができる。
【００６０】
また、水槽１の他のバリエーションとして、水槽１の接地面を平坦面とするのではなく、図３に示すように、球状部４”の下端部も球面状に形成することにより、卓上にて水槽１”を点で支えるようにして水槽１”が転動しやすいようにすることもできる。
【００６１】
その結果、水槽１”に外力を加えることによって、水槽１”の定常状態を破って水槽１”全体をゆるやかに転動させることができる。そして、このようなタンブリング効果により水槽１”内の水を攪拌することができる。
【００６２】
ここで、球状部４”の厚みが下端に向かう程厚くなるように形成しているので、小さな外力で水槽１”を転動することができる。
【００６３】
このように、安定した小宇宙に自らが関わって小変動を起こすことができ、小宇宙の生態系に関与することができる。さらに、この小変動により小宇宙に与えられた刺激に対するストレスを観察することができ、小宇宙が小変動を吸収して再び小宇宙を安定した状態へと移行させる様子を観察することができる。
【００６４】
【発明の効果】
発明は上記のような形態で実施されるもので、以下の効果を奏する。
【００６５】
（１）請求項１に係る本発明では、水槽の水面下ではクロメダカを飼育しながら、同水槽の水面付近ではシュロガヤツリを栽培することによって、同水槽内においてほぼ自然界に近い生態系を再現するようにしたので、水槽内における酸素の需要と供給のバランスを保つことができるとともに、水槽内において食物連鎖を完結させることができるので、シュロガヤツリの栽培による室内緑化と、クロメダカの飼育とを省力・省資源・省エネルギーにて可能とする効果がある。
【００６６】
同時に、室内に設置可能な水槽内に小宇宙を形成することができ、卓上に水槽を設置することにより日々の生活の中で小宇宙の神秘や偉大な力を体感しながら、クロメダカやシュロガヤツリを観察・観賞できる効果がある。
【００６７】
（２）請求項２に係る本発明では、前記水槽は、下部を球状に、上部を細筒状としたフラスコ状に形成し、同細筒部の下端をやや狭窄状として、同狭窄部でシュロガヤツリの茎、或いは株を支持し、その下方の球状部内においてシュロガヤツリの根とクロメダカを収容すべく構成したので、シュロガヤツリの茎、或いは株を上記狭窄部で挟持することができ、シュロガヤツリの根を球状部内に収容するとともに、シュロガヤツリを水槽内において直立させて安定な状態とすることができる効果がある。
【００６８】
また、水槽の球状部を球状としたので、同球状部が水を貯留するとその表面がレンズと同様に作用することにより、水槽内のクロメダカを実物よりも大きく映し出すことができ、小さなクロメダカを観察・観賞しやすくする効果がある。
【００６９】
（３）請求項３に係る本発明では、前記狭窄部の近傍を着色したので、同着色部分により見栄えの悪いシュロガヤツリの株を目隠しすることによって、水槽の外部よりこの株が見えることを防止して、水槽の美観が損なわれることを防止することができる効果がある。
【図面の簡単な説明】
【図１】本発明に係る魚類飼育と植物栽培を同時に行う飼育・栽培システムの一例を示す説明図である。
【図２】本発明に係る魚類飼育と植物栽培を同時に行う飼育・栽培システムの他の例を示す説明図である。
【図３】本発明に係る魚類飼育と植物栽培を同時に行う飼育・栽培システムの他の例を示す説明図である。
【符号の説明】
１  水槽
２  クロメダカ
３  シュロガヤツリ
４  球状部
５  細筒部
６  狭窄部
７  着色部分
８  底部
【図１】
2004261161.tif 000003
【図２】
2004261161.tif 000004
【図３】
2004261161.tif 000005